(57)【要約】  マルチパスの遅延によって生じる干渉を低減できる新たな仕組みを提供するため、基地局はプロセッサと送信機を含む。プロセッサは、送信データから第１の変調シンボルを生成し、第１の変調シンボルに対して逆フーリエ変換を行うことによって、第１の変調シンボルを、周波数領域の信号から時間領域の信号である第１の有効シンボルに変換し、第１の有効シンボルに第１のガードインターバルを挿入し、挿入された信号を第１のＯＦＤＭ（Orthogonal Frequency Division Multiplexing）シンボルとして出力する。送信機は第１のＯＦＤＭシンボルに基づき生成された第１のＯＦＤＭ信号を送信する。プロセッサは、第１のＯＦＤＭシンボルに隣接する第２のＯＦＤＭシンボル、又は、第１の有効シンボルを構成する複数のサブキャリアの少なくとも一つ、の少なくとも一方をブランクにする。
2018135438.tif 000002
【特許請求の範囲】
【請求項１】
送信データから第１の変調シンボルを生成し、
前記第１の変調シンボルに対して逆フーリエ変換を行うことによって、前記第１の変調シンボルを周波数領域の信号から時間領域の信号である第１の有効シンボルに変換し、
前記第１の有効シンボルに第１のガードインターバルを挿入し、
挿入された信号を第１のＯＦＤＭ（Orthogonal Frequency Division Multiplexing）シンボルとして出力するように構成されたプロセッサと、
前記第１のＯＦＤＭシンボルに基づき生成された第１のＯＦＤＭ信号を送信するように構成された送信機とを有し、
前記プロセッサは、
前記第１のＯＦＤＭシンボルに隣接する第２のＯＦＤＭシンボル、又は、
前記第１の有効シンボルを構成する複数のサブキャリアの少なくとも一つ、
の少なくとも一方をブランクにする、
基地局。
【請求項２】
前記第２のＯＦＤＭシンボルをブランクにすることは、
前記第２のＯＦＤＭシンボルを構成する複数のサブキャリアの少なくとも一つに対して、送信データをマップしないこと、
を含む、
請求項１記載の基地局。
【請求項３】
前記第２のＯＦＤＭシンボルをブランクにすることは、
前記第２のＯＦＤＭシンボルを、前記第１のＯＦＤＭシンボルと同一に構成すること、
を含む、
請求項１記載の基地局。
【請求項４】
制御情報を記憶するメモリを有し、
前記プロセッサは、
前記ブランクにするか否かを、前記制御情報に基づいて、決定する、
請求項３記載の基地局。
【請求項５】
前記制御情報が、
マルチパス環境において前記第１のＯＦＤＭ信号が送信されたメインパスに対する遅延パスの遅延時間が、前記第１のガードインターバルを超えることを示すときに、
前記プロセッサは、
前記ブランクにすることを決定する、
請求項４記載の基地局。
【請求項６】
第２の基地局から、通知情報を受信するインタフェースを更に有し、
前記通知情報は、
前記第２の基地局が送信する第３のＯＦＤＭ信号を構成する第３のＯＦＤＭシンボルに隣接する第４のＯＦＤＭシンボルをブランクにする事が行われていることを示す、
請求項１乃至５の何れか一項に記載の基地局。
【請求項７】
前記第１の有効シンボルを構成する複数のサブキャリアの少なくとも一つをブランクにすることは、
１周期の正弦波を構成できなくなったサブキャリアに対して、送信データをマップしないこと、
を含む、
請求項１乃至６の何れか一項に記載の基地局。
【請求項８】
第１のＯＦＤＭ（Orthogonal Frequency Division Multiplexing）シンボルに基づき生成された第１のＯＦＤＭ信号を受信するように構成された受信機と、
前記第１のＯＦＤＭシンボルから第１のガードインターバルを除去することによって、第１の有効シンボルを生成し、
前記第１の有効シンボルに対してフーリエ変換を行うことによって、時間領域の信号である前記第１の有効シンボルを周波数領域の信号に変換し、
前記周波数領域の信号に基づき復調処理を行うことで、送信データを生成するように構成されたプロセッサとを有し、
前記第１のＯＦＤＭシンボルに隣接する第２のＯＦＤＭシンボル、又は、
前記第１の有効シンボルを構成する複数のサブキャリアの少なくとも一つ、
の少なくとも一方がブランクである、
移動局。
【請求項９】
前記第２のＯＦＤＭシンボルがブランクであるとき、
前記第２のＯＦＤＭシンボルを構成する複数のサブキャリアの少なくとも一つに対して、送信データがマップされていない、
請求項８記載の移動局。
【請求項１０】
前記第２のＯＦＤＭシンボルがブランクである場合、
前記第２のＯＦＤＭシンボルが、前記第１のＯＦＤＭシンボルと同一に構成される、
請求項８記載の移動局。
【請求項１１】
マルチパス環境において前記第１のＯＦＤＭ信号が送信されたメインパスに対する遅延パスの遅延時間が、前記第１のガードインターバルを超えるときに、
前記第１のＯＦＤＭシンボルに隣接する前記第２のＯＦＤＭシンボルが、ブランクである、
請求項８記載の移動局。
【請求項１２】
送信データから第１の変調シンボルを生成し、
前記第１の変調シンボルに対して逆フーリエ変換を行うことによって、前記第１の変調シンボルを周波数領域の信号から時間領域の信号である第１の有効シンボルに変換し、
前記第１の有効シンボルに第１のガードインターバルを挿入し、
挿入された信号を第１のＯＦＤＭ（Orthogonal Frequency Division Multiplexing）シンボルとして出力し、
前記第１のＯＦＤＭシンボルに基づき生成された第１のＯＦＤＭ信号を送信し、
前記第１のＯＦＤＭシンボルに隣接する第２のＯＦＤＭシンボル、又は、
前記第１の有効シンボルを構成する複数のサブキャリアの少なくとも一つ、
の少なくとも一方をブランクにする、
基地局の制御方法。
【請求項１３】
前記第２のＯＦＤＭシンボルをブランクにすることは、
前記第２のＯＦＤＭシンボルを構成する複数のサブキャリアの少なくとも一つに対して、送信データをマップしないこと、
を含む、
請求項１２記載の基地局の制御方法。
【請求項１４】
前記第２のＯＦＤＭシンボルをブランクにすることは、
前記第２のＯＦＤＭシンボルを、前記第１のＯＦＤＭシンボルと同一に構成すること、
を含む、
請求項１２記載の基地局の制御方法。
【請求項１５】
制御情報を記憶し、
前記ブランクにするか否かを、前記制御情報に基づいて、決定する、
請求項１４記載の基地局の制御方法。
【請求項１６】
前記制御情報が、
マルチパス環境において前記第１のＯＦＤＭ信号が送信されたメインパスに対する遅延パスの遅延時間が、前記第１のガードインターバルを超えることを示すときに、
前記ブランクにすることを決定する、
請求項１５記載の基地局の制御方法。
【請求項１７】
第２の基地局から、通知情報を受信し、
前記通知情報は、
前記第２の基地局が送信する第３のＯＦＤＭ信号を構成する第３のＯＦＤＭシンボルに隣接する第４のＯＦＤＭシンボルをブランクにする事が行われていることを示す、
請求項１２乃至１６の何れか一項に記載の基地局の制御方法。
【請求項１８】
前記第１の有効シンボルを構成する複数のサブキャリアの少なくとも一つをブランクにすることは、
１周期の正弦波を構成できなくなったサブキャリアに対して、送信データをマップしないこと、
を含む、
請求項１２乃至１７の何れか一項に記載の基地局の制御方法。
【請求項１９】
第１のＯＦＤＭ（Orthogonal Frequency Division Multiplexing）シンボルに基づき生成された第１のＯＦＤＭ信号を受信し、
前記第１のＯＦＤＭシンボルから第１のガードインターバルを除去することによって、第１の有効シンボルを生成し、
前記第１の有効シンボルに対してフーリエ変換を行うことによって、時間領域の信号である前記第１の有効シンボルを周波数領域の信号に変換し、
前記周波数領域の信号に基づき復調処理を行うことで、送信データを生成し、
前記第１のＯＦＤＭシンボルに隣接する第２のＯＦＤＭシンボル、又は、
前記第１の有効シンボルを構成する複数のサブキャリアの少なくとも一つ、
の少なくとも一方がブランクである、
移動局の制御方法。
【請求項２０】
前記第２のＯＦＤＭシンボルがブランクであるとき、
前記第２のＯＦＤＭシンボルを構成する複数のサブキャリアの少なくとも一つに対して、送信データがマップされていない、
請求項１９記載の移動局の制御方法。
【請求項２１】
前記第２のＯＦＤＭシンボルがブランクである場合、
前記第２のＯＦＤＭシンボルが、前記第１のＯＦＤＭシンボルと同一に構成される、
請求項１９記載の移動局の制御方法。
【請求項２２】
マルチパス環境において前記第１のＯＦＤＭ信号が送信されたメインパスに対する遅延パスの遅延時間が、前記第１のガードインターバルを超えるときに、
前記第１のＯＦＤＭシンボルに隣接する前記第２のＯＦＤＭシンボルが、ブランクである、
請求項１９記載の移動局の制御方法。
【請求項２３】
コンピュータに、
送信データから第１の変調シンボルを生成し、
前記第１の変調シンボルに対して逆フーリエ変換を行うことによって、前記第１の変調シンボルを周波数領域の信号から時間領域の信号である第１の有効シンボルに変換し、
前記第１の有効シンボルに第１のガードインターバルを挿入し、
挿入された信号を第１のＯＦＤＭ（Orthogonal Frequency Division Multiplexing）シンボルとして出力し、
前記第１のＯＦＤＭシンボルに基づき生成された第１のＯＦＤＭ信号を送信し、
前記第１のＯＦＤＭシンボルに隣接する第２のＯＦＤＭシンボル、又は、
前記第１の有効シンボルを構成する複数のサブキャリアの少なくとも一つ、
の少なくとも一方をブランクにする、
ことを実行させるためのプログラムを記録したコンピュータ読み取り可能な記録媒体。
【請求項２４】
前記第２のＯＦＤＭシンボルをブランクにすることは、
前記第２のＯＦＤＭシンボルを構成する複数のサブキャリアの少なくとも一つに対して、送信データをマップしないこと、
を含む、
請求項２３記載のプログラムを記録したコンピュータ読み取り可能な記録媒体。
【請求項２５】
前記第２のＯＦＤＭシンボルをブランクにすることは、
前記第２のＯＦＤＭシンボルを、前記第１のＯＦＤＭシンボルと同一に構成すること、
を含む、
請求項２３記載のプログラムを記録したコンピュータ読み取り可能な記録媒体。
【請求項２６】
制御情報を記憶し、
前記ブランクにするか否かを、前記制御情報に基づいて、決定する、
請求項２５記載のプログラムを記録したコンピュータ読み取り可能な記録媒体。
【請求項２７】
前記制御情報が、
マルチパス環境において前記第１のＯＦＤＭ信号が送信されたメインパスに対する遅延パスの遅延時間が、前記第１のガードインターバルを超えることを示すときに、
前記ブランクにすることを決定する、
請求項２６記載のプログラムを記録したコンピュータ読み取り可能な記録媒体。
【請求項２８】
第２の基地局から、通知情報を受信し、
前記通知情報は、
前記第２の基地局が送信する第３のＯＦＤＭ信号を構成する第３のＯＦＤＭシンボルに隣接する第４のＯＦＤＭシンボルをブランクにする事が行われていることを示す、
請求項２３乃至２７の何れか一項に記載のプログラムを記録したコンピュータ読み取り可能な記録媒体。
【請求項２９】
前記第１の有効シンボルを構成する複数のサブキャリアの少なくとも一つをブランクにすることは、
１周期の正弦波を構成できなくなったサブキャリアに対して、送信データをマップしないこと、
を含む、
請求項２３乃至２８の何れか一項に記載のプログラムを記録したコンピュータ読み取り可能な記録媒体。
【請求項３０】
通信システムであって、
基地局と
移動局を有し、
前記基地局は、
送信データから第１の変調シンボルを生成し、
前記第１の変調シンボルに対して逆フーリエ変換を行うことによって、前記第１の変調シンボルを周波数領域の信号から時間領域の信号である第１の有効シンボルに変換し、
前記第１の有効シンボルに第１のガードインターバルを挿入し、
挿入された信号を第１のＯＦＤＭ（Orthogonal Frequency Division Multiplexing）シンボルとして出力し、
前記第１のＯＦＤＭシンボルに基づき生成された第１のＯＦＤＭ信号を送信し、
前記第１のＯＦＤＭシンボルに隣接する第２のＯＦＤＭシンボル、又は、
前記第１の有効シンボルを構成する複数のサブキャリアの少なくとも一つ、
の少なくとも一方をブランクにする、
前記移動局は、
前記第１のＯＦＤＭ信号を受信し、
前記第１のＯＦＤＭ信号に含まれる前記第１のＯＦＤＭシンボルから前記第１のガードインターバルを除去することによって、前記第１の有効シンボルを生成し、
前記第１の有効シンボルに対してフーリエ変換を行うことによって、時間領域の信号である前記第１の有効シンボルを周波数領域の信号に変換し、
前記周波数領域の信号に基づき復調処理を行うことで、送信データを生成する、
通信システム。
【請求項３１】
前記第２のＯＦＤＭシンボルをブランクにすることは、
前記第２のＯＦＤＭシンボルを構成する複数のサブキャリアの少なくとも一つに対して、送信データをマップしないこと、
を含む、
請求項３０記載の通信システム。
【請求項３２】
前記第２のＯＦＤＭシンボルをブランクにすることは、
前記第２のＯＦＤＭシンボルを、前記第１のＯＦＤＭシンボルと同一に構成すること、
を含む、
請求項３０記載の通信システム。
【請求項３３】
前記基地局が
制御情報を記憶し、
前記ブランクにするか否かを、前記制御情報に基づいて、決定する、
請求項３２記載の通信システム。
【請求項３４】
前記制御情報が、
マルチパス環境において前記第１のＯＦＤＭ信号が送信されたメインパスに対する遅延パスの遅延時間が、前記第１のガードインターバルを超えることを示すときに、
前記基地局が、前記ブランクにすることを決定する、
請求項３３記載の通信システム。
【請求項３５】
第２の基地局から前記基地局に対して、通知情報が送信され、
前記通知情報は、
前記第２の基地局が送信する第３のＯＦＤＭ信号を構成する第３のＯＦＤＭシンボルに隣接する第４のＯＦＤＭシンボルをブランクにする事が行われていることを示す、
請求項３０乃至３４の何れか一項に記載の通信システム。
【請求項３６】
前記第１の有効シンボルを構成する複数のサブキャリアの少なくとも一つをブランクにすることは、
１周期の正弦波を構成できなくなったサブキャリアに対して、送信データをマップしないこと、
を含む、
請求項３０乃至３５の何れか一項に記載の通信システム。
【発明の詳細な説明】
【技術分野】
【０００１】
本開示は、基地局、移動局、基地局の制御方法、記録媒体に関する。
【背景技術】
【０００２】
無線通信システムにおいて、例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ：直交周波数分割多重）を用いたマルチキャリア伝送方式は、マルチキャリア化とガードインターバル（ＧＩ：Ｇｕａｒｄ  Ｉｎｔｅｒｖａｌ）の挿入（特許文献１参照）によって、高速デジタル信号伝送におけるマルチパスフェージングの影響を軽減することができる。しかしながら、ＯＦＤＭにおいて、ガードインターバル区間を超える遅延時間を持つ遅延波（遅延パス）が存在すると、前のシンボルが高速フーリエ変換（ＦＦＴ：Ｆａｓｔ  Ｆｏｕｒｉｅｒ  Ｔｒａｎｓｆｏｒｍ）区間に入り込むことにより生じるシンボル間干渉（ＩＳＩ：Ｉｎｔｅｒ  Ｓｙｍｂｏｌ  Ｉｎｔｅｒｆｅｒｅｎｃｅ）や、高速フーリエ変換区間にシンボルの切れ目、つまり信号の不連続区間が入ることによって生じるキャリア間干渉（ＩＣＩ：ＩｎｔｅｒＣａｒｒｉｅｒ  Ｉｎｔｅｒｆｅｒｅｎｃｅ）が生じ、特性劣化の原因となる。
【先行技術文献】
【特許文献】
【０００３】
【特許文献１】特開２００２−３７４２２３号公報
【発明の概要】
【発明が解決しようとする課題】
【０００４】
したがって、例示的な実施形態は、上述した背景技術の問題点を解決するために提案されたものであり、その目的は、マルチパスの遅延によって生じる干渉を低減できる新たな仕組みを提供することにある。
【課題を解決するための手段】
【０００５】
例示的な実施形態における基地局は、プロセッサと、送信機を有する。プロセッサは、送信データから第１の変調シンボルを生成し、前記第１の変調シンボルに対して逆フーリエ変換を行うことによって、前記第１の変調シンボルを、周波数領域の信号から時間領域の信号である第１の有効シンボルに変換し、前記第１の有効シンボルに第１のガードインターバルを挿入し、挿入された信号を第１のＯＦＤＭ（Orthogonal Frequency Division Multiplexing）シンボルとして出力する。また、送信機は、前記第１のＯＦＤＭシンボルに基づき生成された第１のＯＦＤＭ信号を送信する。前記プロセッサは、前記第１のＯＦＤＭシンボルに隣接する第２のＯＦＤＭシンボル、又は、前記第１の有効シンボルを構成する複数のサブキャリアの少なくとも一つ、の少なくとも一方をブランクにする。【０００６】
他の例示的な実施形態における移動局は、受信機と、プロセッサを有する。受信機は、第１のＯＦＤＭ（Orthogonal Frequency Division Multiplexing）シンボルに基づき生成された第１のＯＦＤＭ信号を受信する。プロセッサは、前記第１のＯＦＤＭシンボルから第１のガードインターバルを除去することによって、第１の有効シンボルを生成し、前記第１の有効シンボルに対してフーリエ変換を行うことによって、時間領域の信号である前記第１の有効シンボルを周波数領域の信号に変換し、前記周波数領域の信号に基づき復調処理を行うことで、送信データを生成する。前記第１のＯＦＤＭシンボルに隣接する第２のＯＦＤＭシンボル、又は、前記第１の有効シンボルを構成する複数のサブキャリアの少なくとも一つ、の少なくとも一方がブランクである。【０００７】
他の例示的な実施形態における基地局の制御方法は、送信データから第１の変調シンボルを生成し、前記第１の変調シンボルに対して逆フーリエ変換を行うことによって、前記第１の変調シンボルを周波数領域の信号から時間領域の信号である第１の有効シンボルに変換し、前記第１の有効シンボルに第１のガードインターバルを挿入し、挿入された信号を第１のＯＦＤＭ（Orthogonal Frequency Division Multiplexing）シンボルとして出力し、前記第１のＯＦＤＭシンボルに基づき生成された第１のＯＦＤＭ信号を送信、前記第１のＯＦＤＭシンボルに隣接する第２のＯＦＤＭシンボル、又は、前記第１の有効シンボルを構成する複数のサブキャリアの少なくとも一つ、の少なくとも一方をブランクにすることを含む。【０００８】
他の例示的な実施形態におけるコンピュータ読み取り可能な記録媒体に記録されたプログラムは、送信データから第１の変調シンボルを生成し、前記第１の変調シンボルに対して逆フーリエ変換を行うことによって、前記第１の変調シンボルを周波数領域の信号から時間領域の信号である第１の有効シンボルに変換し、前記第１の有効シンボルに第１のガードインターバルを挿入し、挿入された信号を第１のＯＦＤＭ（Orthogonal Frequency Division Multiplexing）シンボルとして出力し、前記第１のＯＦＤＭシンボルに基づき生成された第１のＯＦＤＭ信号を送信し、前記第１のＯＦＤＭシンボルに隣接する第２のＯＦＤＭシンボル、又は、前記第１の有効シンボルを構成する複数のサブキャリアの少なくとも一つ、の少なくとも一方をブランクにする、ことをコンピュータに実行させる。
【発明の効果】
【０００９】
例示的な実施形態によれば、マルチパスの遅延によって生じる干渉を低減できる新たな仕組みを提供できる。
【図面の簡単な説明】
【００１０】
【図１】例示的な実施形態に係る移動通信システムを示す。
【図２】例示的な実施形態に係る送信信号の一例を示す。
【図３】例示的な実施形態に係る送信信号の一例を示す。
【図４】例示的な実施形態に係る送信信号の一例を示す。
【図５】第１の例示的な実施形態に係る送信信号の一例を示す。
【図６】第１の例示的な実施形態の基地局を示す。
【図７】第１の例示的な実施形態の移動局を示す。
【図８】第２の例示的な実施形態の移動局を示す。
【図９】第２の例示的な実施形態に係る受信信号の一例を示す。
【図１０】第２の例示的な実施形態の移動局に係る動作の概略を示す。
【図１１】第２の例示的な実施形態の移動局に係る動作の概略を示す。
【図１２】第３の例示的な実施形態に係る送信信号の一例を示す。
【図１３】第４の例示的な実施形態に係る基地局を示す。
【図１４】第５の例示的な実施形態に係る複数の基地局を示す。
【図１５】第５の例示的な実施形態に係る動作フローチャートを示す。
【図１６】第６の例示的な実施形態に係る基地局を示す。
【図１７】第６の例示的な実施形態に係る直接波と遅延波との合成波である受信波の一例を示す。
【図１８】第７の例示的な実施形態に係る基地局を示す。
【図１９】第７の例示的な実施形態に係る移動局を示す。
【発明を実施するための形態】
【００１１】
例示的な実施形態について、図面を参照して詳細が記述される。各図面において、同一又は対応する要素には同一の符号が付されており、記述の明確化のため、必要に応じて冗長な記述は省略される。
【００１２】
以下に説明される複数の例示的な実施形態は、独立に実施されることもできるし、適宜組み合わせて実施されることもできる。
【００１３】
（はじめに）
図１は、例示的な実施形態に係る移動通信システムを示す。
移動通信システムは、少なくとも一つの基地局１０と移動局２０とを含む。基地局１０は、少なくとも１つのセル１１を管理する。
【００１４】
図１において、基地局１０は、セル１１に存在する移動局２０と通信している例を示す。この例において、基地局１０は、メインパス４０を介して、移動局２０と通信する。また、基地局１０は、遅延パス４１を介して、移動局２０と通信する。基地局１０から送信された電波は、遅延パス４１を介して反射物３０にて反射される。反射された電波は、遅延パス４１を介して、移動局２０に到着する。
【００１５】
図２は、例示的な実施形態に係る送信信号の一例を示す。図２において、マルチパス環境を経て送信装置（基地局）から受信装置（移動局）に到達する信号の概要が示されている。
【００１６】
図２において、横方向は時間であり、左側から右側にかけて順次信号が送信されることを意味する。このため、図の左側を前、前側、前方、などと呼び、また、図の右側を後、後ろ側、後方、などと呼ぶことがある。その他の図でも同様である。
【００１７】
図２において、ＯＦＤＭ（Orthogonal Frequency Division Multiplexing）シンボルは、有効シンボルと、この有効シンボルの後半部分が複製されて当該有効シンボルの冒頭に配置された信号であるガードインターバル（ＧＩ：Guard Interval、またはサイクリックプレフィックス、巡回プレフィックス、ＣＰ：Cyclic Prefix）とにより構成されている。なお、ガードインターバルは、有効シンボルが複製されて当該有効シンボルの末尾に付加された信号であってもよい。以降、本稿では便宜上冒頭に付加する信号をガードインターバル：ＧＩと呼び、また、末尾に付加する信号をサイクリックプレフィックス：ＣＰと呼ぶ。
【００１８】
受信装置側では、ＯＦＤＭシンボルからＧＩと同じ長さの信号を除くことにより、有効シンボルのみを切り出して受信処理を行う。
【００１９】
図３は、例示的な実施形態に係る送信信号の一例を示す。
図３に示す例では、最初に到来した搬送波（メインパス、直接波、ｐ１）および反射などにより違う経路を通った結果、伝播遅延した搬送波（遅延パス、遅延波、ｐ２,ｐ３）について、メインパスｐ１と同期をとり、メインパスｐ１のＧＩを除く区間であるサンプリング区間（ＦＦＴ区間５０）でＦＦＴ処理を行った場合に、遅延パスｐ２および遅延パスｐ３の遅延時間がガードインターバル区間以内におさまっている。
【００２０】
図４は、例示的な実施形態に係る送信信号の一例を示す。
図４において、遅延パスｐ２は遅延時間がガードインターバル区間以内におさまっている。一方、遅延パスｐ４はガードインターバル区間を超える遅延が生じている。
【００２１】
このような、ガードインターバル区間を超える遅延が生じている遅延波ｐ４については、所望ＯＦＤＭシンボルの前のＯＦＤＭシンボル（直前ＯＦＤＭシンボル）の一部がＦＦＴ区間５０内に入っている。このため、遅延波ｐ４については、直前ＯＦＤＭシンボルの一部５２を含めてＦＦＴ処理が行われる。つまり、シンボル間干渉（符号間干渉、記号間干渉、ＩＳＩ：Ｉｎｔｅｒ−Ｓｙｍｂｏｌ  Ｉｎｔｅｒｆｅｒｅｎｃｅ）が生じる。
【００２２】
また、ガードインターバル区間を超える遅延が生じている遅延波ｐ４では、ＦＦＴ区間５０に所望ＯＦＤＭシンボルと直前ＯＦＤＭシンボルとの切れ目、つまり信号の不連続区間が入る。このため、遅延波ｐ４については、信号の不連続区間を含めてＦＦＴ処理が行われる。つまり、キャリア間干渉（ＩＣＩ：Ｉｎｔｅｒ−Ｃａｒｒｉｅｒ  Ｉｎｔｅｒｆｅｒｅｎｃｅ）が生じる。
【００２３】
このように、受信装置では、１つ前のシンボルの信号が混入することによって、「０」または「１」の信号判定の妨げになる。
【００２４】
例えば、ＬＴＥ（Long Term Evolution）では、ＧＩ長やデータシンボル長などのフレームフォーマットは定められている。ＧＩ長は、セル半径の最大数km程度を想定して設計されている。
【００２５】
一方、ＬＴＥ以外の無線通信システム（例えば、自営無線システム）では、セル半径が１０ｋｍを超える場合がある。仮に、ＬＴＥのシステムをそのまま自営無線システムに用いた場合、最大遅延時間がＧＩ長を超えることによって、シンボル間干渉が発生するおそれがある。
【００２６】
この問題は、セル半径を縮小することによって解決されうる。しかし、セル半径を縮小することによって、通信エリアをカバーするために基地局がより多く必要となり、基地局および基地局設置のコストが増大する。
【００２７】
また、特許文献１に記載の方法のように、最大遅延にあわせてＧＩ長を適応的に変更する方法も考えられるが、この場合、既存のＬＴＥ端末や基地局を使用することができないため、通信システム全体の開発費が必要となる。
【００２８】
以下の例示的な実施形態は、例えばＬＴＥのフレームフォーマットを活用し、マルチパス遅延に因る干渉を低減するための新たな仕組みを提供する。
【００２９】
（第１の例示的な実施形態）
図５は、マルチパス環境を経て送信装置（基地局）から受信装置（移動局）に到達する信号の概要を示す図である。
【００３０】
本実施形態において、既存のＬＴＥのフレームフォーマットがそのまま用いられる。本実施形態のフレームフォーマットは、データが多重されるＯＦＤＭシンボルとデータが多重されない（ブランクの）ＯＦＤＭシンボルとを交互に含む。
【００３１】
図５に示す例では、Ｎ番目のＯＦＤＭシンボルとＮ＋２番目のＯＦＤＭシンボルにデータが多重されている。一方、Ｎ＋１番目のＯＦＤＭシンボルには、データが多重されていない。
【００３２】
メインパスのＮ番目のＯＦＤＭシンボルは、第１の有効シンボル１０２とＧＩ１０１とから構成される。Ｎ番目のＯＦＤＭシンボルに隣接するＮ＋１番目のＯＦＤＭシンボルは、データが多重されていないシンボルであるブランクシンボル１０３である。Ｎ＋１番目のＯＦＤＭシンボルに隣接するＮ＋２番目のＯＦＤＭシンボルは、第２の有効シンボル１０５とＧＩ１０４とから構成される。
【００３３】
図５に示す例では、遅延パスの遅延時間は、メインパスのガードインターバル１０１を超えている。図５に示す例では、遅延パスにおいて、メインパスのＮ番目のＯＦＤＭシンボルに相当するＯＦＤＭシンボルは、ＧＩ１０７と第１の有効シンボル１０８から構成される。このＯＦＤＭシンボルの前に、ブランクシンボル１０６が隣接する。このＯＦＤＭシンボルの後ろには、ブランクシンボル１０９が隣接する。
【００３４】
受信装置（移動局）では、メインパスのＮ番目のＯＦＤＭシンボルからＧＩ１０１と同じ長さの信号を除いた区間であるＦＦＴ区間１１０のシンボルのみを切り出して受信処理を行う。
【００３５】
図５に示す例では、送信装置が一つのＯＦＤＭシンボルをブランクシンボルとしているが、複数のＯＦＤＭシンボルをブランクとしてもよい。例えば、データが多重された一つのＯＦＤＭシンボルに対して、複数のＯＦＤＭシンボルをブランクにしてもよい。
【００３６】
図６は、第１の例示的な実施形態の基地局を示す。
【００３７】
基地局１０は、プロセッサ１２及び送信機１３を含む。プロセッサ１２は、変調部１２１、ＩＦＦＴ部１２２及びＧＩ挿入部１２３を含む。
【００３８】
変調部１２１は、基地局１０から移動局に送信する送信データから変調シンボルを生成する。変調部１２１には、ＭＡＣ（Ｍｅｄｉａ  Ａｃｃｅｓｓ  Ｃｏｎｔｒｏｌ、媒体アクセス制御）部等（図示されない。ＭＡＣ部等とは、ＭＡＣ層、ネットワーク層などの上位層に位置する機能をいう。）から入力された移動局に送信する送信データ（情報ビット）が入力される。尚、情報ビットとは圧縮符号化された音声信号、映像信号、その他のデータ信号を「０」、「１」で表した信号である。なお、この情報ビットに対して、ターボ符号、ＬＤＰＣ（Ｌｏｗ  Ｄｅｎｓｉｔｙ  Ｐａｒｉｔｙ  Ｃｈｅｃｋ：低密度パリティ検査）、畳込み符号などの誤り訂正符号化処理が行われてもよい。
【００３９】
変調部１２１は、送信データ（情報ビット）に基づき、ＢＰＳＫ（Ｂｉｎａｒｙ  Ｐｈａｓｅ  Ｓｈｉｆｔ  Ｋｅｙｉｎｇ：２相位相偏移変調）、ＱＰＳＫ（Ｑｕａｄｒａｔｕｒｅ  Ｐｈａｓｅ  Ｓｈｉｆｔ  Ｋｅｙｉｎｇ：４相位相偏移変調）、１６ＱＡＭ（１６  Ｑｕａｄｒａｔｕｒｅ  Ａｍｐｌｉｔｕｄｅ  Ｍｏｄｕｌａｔｉｏｎ：１６値直交振幅変調）、６４ＱＡＭ（６４  ＱｕａｄｒａｔｕｒｅＡｍｐｌｉｔｕｄｅ  Ｍｏｄｕｌａｔｉｏｎ：６４値直交振幅変調）などの変調シンボルを生成する。
【００４０】
ＩＦＦＴ部１２２は、ＭＡＣ部等（図示しない）から通知される割当情報に基づいて、変調部１２１から入力される移動局あての変調シンボルをＩＦＦＴ入力ポイントにマッピング（サブキャリアマッピング）する。この際、パイロットシンボル（リファレンスシンボル）もマッピングされてもよい。ＩＦＦＴ部１２２は、ＩＦＦＴ処理を行うことで、変調シンボルを周波数領域の信号から時間領域の信号（有効シンボル）に変換する。なお、説明の簡素化のため、ＩＦＦＴポイント数とサブキャリア数が同一として説明するが、これに限定する趣旨ではない。サブキャリア数が、ＩＦＦＴポイント数未満であってもよいし、サブキャリア数がＩＦＦＴポイント数以上であれば、ＩＦＦＴ部を複数個備えることができる。
【００４１】
ここで、変調シンボルをマッピングするリソースエレメント（１つのＯＦＤＭシンボルと１つのサブキャリアから構成）は割当情報により通知される。割当情報が通知するリソースエレメントは、基地局と移動局との間の伝搬路状況及び基地局が移動局へ送信するデータ量などに基づいて決定される。このデータ変調シンボルをマッピングするリソースエレメントを決定することをスケジューリングと呼ぶ。なお、割当情報は、変調シンボルが割当られたＯＦＤＭシンボルと同じＯＦＤＭシンボル、又は該変調シンボルが割当られた送信フレームと同じ送信フレームで移動局に通知してもよいし、異なるＯＦＤＭシンボル又は異なる送信フレームで通知しても良い。割当情報は、下りリンク物理リソースブロック（ＰＲＢ）割り当て情報（例えば、周波数、時間など物理リソースブロック位置情報）、下りリンク物理リソースブロック（ＰＲＢ）の各々に対応する変調方式および符号化方式（例えば、１６ＱＡＭ変調、２／３コーディングレート）などを含んでも良い。
【００４２】
なお、割当情報は、移動局に対する制御信号に含めてもよい。
【００４３】
ＧＩ挿入部１２３は、ＩＦＦＴ部１２２が変換した時間領域の信号にガードインターバル（ＧＩ）を付加する。例えば、ＩＦＦＴ部１２２が出力する時間領域の信号（有効シンボル）の後半の一部をコピーし、有効シンボルの先頭に付加する。ＧＩを付加した有効シンボルをＯＦＤＭシンボルと呼ぶ（図５参照）。
【００４４】
送信機１３は、ＧＩ挿入部１２３が出力するＯＦＤＭシンボルをアナログ信号に変換し（Ｄｉｇｉｔａｌ  ｔｏ  Ａｎａｌｏｇ変換し）、アナログ信号に変換された信号に対して帯域制限を行うフィルタリング処理を行い、さらにフィルタリング処理された信号を送信可能な周波数帯域にアップコンバートし、アンテナを介して送信する。この送信される信号をＯＦＤＭ信号と呼ぶ。
【００４５】
図５で示された間欠送信を基地局１０が行う場合（基地局１０が間欠送信モードである場合）、プロセッサ１２はブランクにすべきＯＦＤＭシンボルに対して送信データを割り当てない。
【００４６】
例えば、ＩＦＦＴ部１２２は、ブランクとすべき有効シンボルに対して、変調シンボルをマッピングしない。また、ＧＩ挿入部１２３は、データが割り当てられていない有効シンボルに基づいてＧＩを挿入する。このため、ＧＩ挿入部１２３が出力するＯＦＤＭシンボルは、ブランクシンボルとなる。
【００４７】
プロセッサ１２は、間欠送信していることを示す情報（間欠送信情報）を生成する。送信機１３は、この間欠送信情報を移動局に通知する。移動局は、通知を受けた情報に基づき、必要なＯＦＤＭシンボルのみを復調する。
【００４８】
図７は、第１の例示的な実施形態の受信装置（移動局）を示す。
受信装置（移動局）では、送信装置と逆操作により復調処理を行う。
【００４９】
移動局２０は、受信機２１及びプロセッサ２２を有する。なお、受信機２１及びプロセッサ２２の一部あるいは全部をチップ化して集積回路となる場合、各機能ブロックに対して制御を行う少なくとも一つのプロセッサを設けてもよい。
【００５０】
受信機２１は、アンテナ（図示しない）を介して送信装置（基地局）から送信されたＯＦＤＭ信号を受信すると、信号処理を行い、プロセッサ２２に送信する。例えば、受信機２１は、受信した信号に対して信号検出処理などのデジタル信号処理が可能な周波数帯へダウンコンバートし、さらにスプリアスを除去するフィルタリング処理を行い、フィルタリング処理した信号をアナログ信号からデジタル信号に変換（Ａｎａｌｏｇ  ｔｏ  Ｄｉｇｉｔａｌ変換）を行う。これら処理が行われた信号は、プロセッサ２２に送信する前に、一旦、メモリやバッファ等の記憶装置に記憶されてもよい。
【００５１】
図２に記載したＯＦＤＭ信号を受信した場合、受信したＯＦＤＭ信号を周波数領域に変換した信号であって、パイロットシンボルを割り当てたサブキャリアの信号（リソースエレメントのうち１または２以上の信号成分）を用いて周波数応答を算出する。
パイロットシンボルを配置したサブキャリア以外のサブキャリアの周波数応答は、パイロットシンボルを配置したサブキャリアの周波数応答を用いて、線形補間、ＦＦＴ補間などの補間技術により算出することができる。
【００５２】
ＧＩ除去部２２１は、遅延波による歪を回避するために送信装置で付加されたガードインターバル区間を除去する。
【００５３】
ＦＦＴ部２２２は、ＧＩ除去部２２１がガードインターバル区間を除去した信号（有効シンボル）を、ＦＦＴ区間にて、時間領域信号から周波数領域信号に変換するフーリエ変換の処理を行う。
【００５４】
なお、ＦＦＴ部２２２は、周波数領域信号に対して、デマッピング処理を行っても良い。具体的には、周波数領域信号のうち、所望ユーザ（移動局２０）あてにマッピングされているサブキャリアの信号のみを抽出する。なお、プロセッサ２２は、受信したＯＦＤＭ信号のサブキャリアにマッピングされている所望ユーザの変調シンボル若しくはパイロット（リファレンス）シンボルの配置（割当情報）を、制御信号による通知などにより知ることができる。
【００５５】
復調部２２３は、ＦＦＴ部２２２が出力する信号のうち、所望ユーザ（移動局２０）がマッピングされているサブキャリアの信号（変調シンボルがマッピングされたリソースエレメント）のみを抽出し、復調処理を行い、移動局２０の受信データ（情報ビット）を取得する。各サブキャリアは、変調シンボルを運搬するために用いられる。
【００５６】
受信機２１は、間欠送信情報を受信してもよい。間欠送信情報は、間欠送信していることを示す情報を含む。間欠送信情報は、例えば、シンボル単位のデータの配置を知らせる情報を含む。この情報は、どのシンボルがブランクシンボルであるかを示す。また、間欠送信情報は、プロセッサ２２がブランクシンボルをどのように処理すべきかを示す情報を含んでも良い。例えば、この情報は、ブランクシンボルにおいてデータがないものと解釈して、プロセッサ２２が復調処理を行うことを指示することを示す。また、この情報は、ブランクシンボルにおいて、プロセッサ２２がパンクチュアリング処理を行うことを指示することを示す。なお、間欠送信情報は、ＰＤＳＣＨ（Ｐｈｙｓｉｃａｌ  Ｄｏｗｎｌｉｎｋ  Ｓｈａｒｅｄ  Ｃｈａｎｎｅｌ）でＨｉｇｈｅｒ  Ｌａｙｅｒ  Ｓｉｇｎａｌｉｎｇの情報として送られても良いし、ＰＤＣＣＨ（Ｐｈｙｓｉｃａｌ  Ｄｏｗｎｌｉｎｋ  Ｃｏｎｔｒｏｌ  Ｃｈａｎｎｅｌ）やＰＢＣＨ（Ｐｈｙｓｉｃａｌ  Ｂｒｏａｄｃａｓｔ  ＣＨａｎｎｅｌ）で制御信号として送られても良い。この場合、間欠送信情報は、復調部２２３の処理から出力される。
【００５７】
プロセッサ２２は、この間欠送信情報に基づき、必要なＯＦＤＭシンボルのみに対して復調処理を行ってもよい。なお、プロセッサ２２は、ダウンリンクにて間欠送信がなされていることを受信電力で判断することもできる。この場合、間欠送信情報は、プロセッサ２２の処理において必須ではない。
【００５８】
本実施形態によれば、例えばＬＴＥシスステムにおいて、ガードインターバル区間を超える遅延時間を持つ遅延波が発生するセル半径１０km以上の環境においても、シンボル間干渉を低減することができる。
【００５９】
また、本実施形態によって、既存のＬＴＥフレームフォーマットを利用し、ＬＴＥ基地局のリソース割当の方法（スケジューリング方法）を変更することで実施できる。このため、干渉削減用の等化器を移動局や基地局に導入する場合や、新たなＬＴＥ通信規格を策定して全ての装置を開発する場合に比べ、コストを抑えることができる。
【００６０】
（第２の例示的な実施形態）
図８は、第２の例示的な実施形態の移動局を示す。
図８の移動局２００は、第１の例示的な実施形態の移動局２０の具体例の一つを示す。
移動局２００は、受信機２１０及びプロセッサ２２０を含む。プロセッサ２２０は、ＧＩ除去部２２１、ＦＦＴ部２２２、復調部２２３及び受信値制御部２２４を含む。ＧＩ除去部２２１、ＦＦＴ部２２２、復調部２２３は、第１の例示的な実施形態と同様のため、説明の簡素化のため、その詳細は省略される。
【００６１】
受信値制御部２２４は、受信機２１０から受信したＯＦＤＭシンボルに対して、図９乃至１１にて示される制御を行い、生成したＯＦＤＭシンボルをＧＩ除去部２２１に送信する。
【００６２】
図９は、第２の例示的な実施形態に係る受信信号の一例を示す。図９の受信信号は図５の信号と同様である。
【００６３】
以降において、説明の簡素化のため、メインパスのＯＦＤＭシンボル（メインＯＦＤＭシンボル２０１）と、遅延パスのＯＦＤＭシンボル（遅延ＯＦＤＭシンボル２０２）のみについて、その詳細が示される。
【００６４】
メインＯＦＤＭシンボル２０１は、第１の有効シンボルとそのＧＩから構成される。遅延ＯＦＤＭシンボル２０２は、第１の有効シンボルとそのＧＩから構成される。
【００６５】
遅延パスの遅延波とメインパスの直接波は合成され、合成波２０３として、移動局２００に到達する。本例の合成波２０３は、メインＯＦＤＭシンボル２０１と遅延ＯＦＤＭシンボル２０２とが合成されたものである。
【００６６】
図１０は、第２の例示的な実施形態の移動局に係る動作の概略を示す。
受信値制御部２２４は、合成波２０３をコピーし、コピーされた合成波２０４を生成する（Ｓ１０）。
【００６７】
次に、受信値制御部２２４は、コピーされた合成波２０４を適切に復調できるように、合成波２０３とコピーされた合成波２０４との時間方向の位置関係を調整する。具体的には、メインＯＦＤＭシンボル２０１の直後にコピーされたメインＯＦＤＭシンボル２０５の先頭が位置するように、位置関係を調整する（Ｓ１１、合成波２０３の後方から遅延時間２０７に相当する時間前の時間的位置に、合成波２０４が配置される）。
【００６８】
図１１は、第２の例示的な実施形態の移動局に係る動作の概略を示す。図１１は、図１０に続く動作を示す。
【００６９】
プロセッサ２２０は、遅延ＯＦＤＭシンボルに対応する区間２０８のみを用いて受信処理を行う（Ｓ１３）。具体的には、プロセッサ２２０は、遅延ＯＦＤＭシンボルに対応する区間２０８のＯＦＤＭシンボルに関し、ＧＩ除去部２２１がＧＩを除去し、第１の有効シンボルについて、ＦＦＴ部２２２がフーリエ変換を行い、復調部２２３が復調処理を行う。
【００７０】
本実施形態によれば、遅延ＯＦＤＭシンボルに対応する区間２０８において、メインＯＦＤＭシンボル２０１に隣接するブランクシンボルに相当する部分に、ＯＦＤＭシンボル２０５の前半部が位置することになる。これによって、点線部２０８において、ＯＦＤＭシンボル間の不連続区間がなくなり、相関性が高い二つのシンボルが処理されることになるため、第１の例示的な実施形態に比して、より干渉が低減できる。すなわち、遅延パスによる干渉の影響をより低減できる。
【００７１】
また、本実施形態は、基地局側の信号処理に負担をかけず、移動局の信号処理を変更するシンプルな処理で実現できる。例えば、移動局の受信バッファの値を制御するのみで実現できるため、新たなハードウェアの変更が不要である。
【００７２】
（第３の例示的な実施形態）
図１２は、第３の例示的な実施形態に係る送信信号の一例を示す。
【００７３】
本実施形態における基地局及び移動局の構成は、第１の例示的な実施形態と同様である。
【００７４】
第１及び第２の例示的な実施形態において、データが多重されたＯＦＤＭシンボルに隣接するＯＦＤＭシンボルはブランクシンボルであった。第３の例示的な実施形態では、隣接するＯＦＤＭシンボルのうち、後のＯＦＤＭシンボルは、前のＯＦＤＭシンボルと同じである。本実施形態において、隣接するＯＦＤＭシンボルのうち、後のＯＦＤＭシンボルをブランクにすることとは、後のＯＦＤＭシンボルを、ブランクシンボルにすることのみならず、後のＯＦＤＭシンボルを、前のＯＦＤＭシンボルと同一に構成することを、含む。
【００７５】
第３の例示的な実施形態において、基地局１０のプロセッサ１２は、Ｎ番目のＯＦＤＭシンボルを生成した後に、Ｎ＋１番目のＯＦＤＭシンボルを生成する。Ｎ番目のＯＦＤＭシンボルは、第１の有効シンボル１０２と、ガードインターバル１０１とを含む。Ｎ＋１番目のＯＦＤＭシンボルは、第１の有効シンボル１０２の複製である複製有効シンボル３０１と、複製有効シンボル３０１から生成されるサイクリックプレフィックス３０２を含む。
【００７６】
具体的には、ＩＦＦＴ部１２２に供給される割当情報が、Ｎ番目のＯＦＤＭシンボルに含まれるデータと同じデータをＮ＋１番目のＯＦＤＭシンボルに割当てることを示す場合、ＩＦＦＴ部１２２は、前の変調シンボルを用いて、ＩＦＦＴ部１２２における処理を行ってもよい。例えば、ＩＦＦＴの入力ポイントに、Ｎ番目のシンボルの変調シンボルと同じ変調シンボルがマップされる。この場合、さらに、複製有効シンボル３０１の前半部分が複製された信号であるＣＰ３０２が、複製有効シンボル３０１の末尾に付加される。
【００７７】
または、ＧＩ挿入部１２３がＮ番目のシンボルのＧＩ１０１を挿入した後に、ＧＩ挿入部１２３またはプロセッサ１２がＮ番目のＯＦＤＭシンボルから、第１の有効シンボル３０１とＣＰ３０２を作成し、Ｎ＋１番目のＯＦＤＭシンボルを生成してもよい。
【００７８】
受信装置（移動局）は、例えば、メインパスのＮ＋１番目のシンボルに相当する区間３０５を用いて、復調処理を行う。復調に用いられる区間は３０５区間に限られない。例えば、遅延パスのＧＩ１０７の先頭から区間３０５の終りまでの間におけるＦＦＴ区間分のシンボルを用いて、受信（復調）処理が行われてもよい。
【００７９】
また、移動局は第１の例示的な実施形態における間欠送信情報の代わりに、どのＯＦＤＭシンボルに同じデータが多重されているかをしめす情報を、基地局から受信してもよい。本例の場合、この情報は、次のＮ＋１番目のシンボルがＮ番目のシンボルのコピーであることを示す。
【００８０】
また、第３の例示的な実施形態において、プロセッサ１２は、Ｎ＋２番目のＯＦＤＭシンボルを生成する。Ｎ＋２番目のＯＦＤＭシンボルは、第１の有効シンボルとは異なる第２の有効シンボル１０５と、そのガードインターバル１０４を含む。
【００８１】
本実施形態によれば、前のＯＦＤＭシンボルに対してＦＦＴ周期の連続性を維持した信号を次のＯＦＤＭシンボルとして送信することによって、既存のＬＴＥフレームフォーマットを利用しつつ、ガードインターバルを延長することができる。これによって、遅延によって生じる干渉を低減できる。
【００８２】
（第４の例示的な実施形態）
第４の例示的な実施形態は、上述の例示的な実施形態の具体例の一つを示す。
図１３は、第４の例示的な実施形態に係る基地局を示す。
本実施形態の基地局４００は、メモリ４１０、プロセッサ４２０及び送信機４３０を含む。プロセッサ４２０は、上述した実施形態のプロセッサ１２と同様である。送信機４３０は、上述した実施形態の送信機１３と同様である。
【００８３】
プロセッサ４２０は、メモリ４１０に記憶された制御情報に基づいて、ＯＦＤＭシンボルをブランクにする決定を行ってもよい。プロセッサ４２０は、メモリ４１０に記憶された制御情報に基づいて、第１の有効シンボルを構成する複数のサブキャリアの少なくとも一つをブランクにする決定を行ってもよい。
【００８４】
また、プロセッサ４２０は、マルチパス環境において第１のＯＦＤＭ信号が送信されたメインパスに対する遅延パスの遅延時間が、第１のガードインターバルを超えることを示すときに、ブランクにする決定を行ってもよい。
【００８５】
プロセッサ４２０は、セル半径に応じて、送信に使用するＯＦＤＭシンボルを決定してもよい。例えば、プロセッサ４２０は、セル半径が小さい場合（例：１０ｋｍ未満）、全ＯＦＤＭシンボルで送信する通常送信モードで通信することを決定する。また例えば、プロセッサ４２０は、セル半径が大きい（例：１０km以上）の場合、１ＯＦＤＭシンボル毎に送信する間欠送信モードで通信することを決定する。
【００８６】
また、プロセッサ４２０は、基地局４００のセル内に存在する移動局の数に基づき、送信に使用するＯＦＤＭシンボルを決定してもよい（間欠送信モードか通常送信モードかが決定されてもよい）。
【００８７】
また、プロセッサ４２０は、移動局の位置に基づき、間欠送信モードか通常送信モードかを決定してもよい。例えば、基地局４００との距離がｘkmを超える移動局の割合がｙ％以上のときには、１ＯＦＤＭシンボル毎にデータを多重する間欠送信モードにて通信を行うことを、プロセッサ４２０が決定してもよい。
【００８８】
また、プロセッサ４２０は、遅延を判断する一つの指標である遅延スプレッドに基づき、間欠送信モードか通常送信モードかを決定してもよい。
【００８９】
例えば、基地局４００と通信可能な移動局毎に遅延スプレッドを、プロセッサ４２０が測定してもよい。測定された遅延スプレッドがｓ秒を超える移動局の割合がｚ％以上のときには、１ＯＦＤＭシンボル毎にデータを多重する間欠送信モードにて通信を行うことを、プロセッサ４２０が決定してもよい。
【００９０】
また、事前に行われる電波伝搬の調査のデータに基づき、遅延が大きいエリアを特定し、このエリアの場合、プロセッサ４２０は、１ＯＦＤＭシンボル毎にデータを多重する間欠送信モードにて通信を行うことを決定してもよい。
【００９１】
なお、送信機４３０は、間欠送信モードの場合、使用するＯＦＤＭシンボルに電力を集中させてもよい。
【００９２】
メモリ４１０は、制御情報を記憶する。制御情報は、例えば、予め設定された情報、プロセッサ４２０等で取得された情報であってもよい。プロセッサ４２０は、制御情報に基づいて、ブランクにするか否かを決定する。例えば、プロセッサ４２０は、ブランクにするか否かの決定（例えば、ＯＦＤＭシンボルの決定）のために、制御情報をメモリ４１０から取得できる。取得した制御情報に基づいて、プロセッサ４２０は、ブランクにするＯＦＤＭシンボルを決定する。
【００９３】
例えば、制御情報は、基地局４００のセルの半径に関する情報を含んでもよい。セル半径に関する情報は、例えばオペレータ等によって予め設定されてもよいし、ＳＯＮ（Self Organizing Network）サーバ等の管理装置から取得されたものであってもよい。ＳＯＮサーバは、基地局４００が新たに設置される場合に、基地局４００と既に在る基地局との関係を考慮して、セルの半径を決定した後、決定された情報を、基地局４００に送信する。送信されたセル半径に関する情報は、メモリ４１０に記憶される。
【００９４】
例えば、制御情報は、基地局４００のセル内に存在する移動局の数を含んでもよい。この移動局の数は、所定周期で更新され、移動局の数が所定の値の超えた場合に、間欠送信モードから通常送信モードに移行するように、プロセッサ４２０は決定してもよい。また、移動局の数が所定の値以下の場合に、間欠送信モードを行うようにプロセッサ４２０は決定してもよい。
【００９５】
制御情報は、移動局の位置を示す情報として、各移動局のＧＰＳ（Global Positioning System）情報を含んでもよい。なお、このＧＰＳ情報は、図示せぬ位置情報管理サーバから入手してもよい。移動局の位置情報は、アップリンク信号の遅延差から判断された基地局と移動局間の距離を推定可能な情報であってもよい。移動局の位置情報は、移動局にて測定されたダウンリンクの伝搬品質（例えば、ＳＩＮＲ(Signal to Interference plus Noise Ratio)またはＣＱＩ（Channel Quality Indicator）等）などの基地局と移動局間の距離を推定可能な情報であってもよい。この場合、ＳＩＮＲやＣＱＩが予め決めた値よりも低い場合に基地局と移動局間の距離が遠いと判断する。または、アップリンク信号の伝搬品質または受信品質に基づいて、アップリンク信号の送信元の移動局がセルのエッジにいるか否かが判断された結果が、移動局の位置を示す情報として、メモリ４１０に記憶されてもよい。
【００９６】
制御情報は、プロセッサ４２０にて得られた遅延スプレッドを含んでもよい。ここで、遅延スプレッドとは、基地局に到来する各電波の遅延時間の広がりを表す量である。一般的には、移動局周辺に多数の妨害物があり周囲の見通しがきかないエリアにおいて、遠方からの反射波等は、妨害物に遮られて移動局に届きにくいため、遅延スプレッドは小さい。他方、移動局周辺に妨害物が少なく周囲の見通しがきくエリアにおいて、比較的大きな遅延スプレッドとなる。
【００９７】
メモリ４１０は、接地後の基地局がカバーするカバレッジにおいて遅延が大きいか否かを予め調査し、その結果を、制御情報として記憶することができる。もし遅延が大きいエリアの場合、プロセッサ４２０は間欠送信モードを行うことを決定する。
【００９８】
本実施形態によれば、基地局が置かれた地理的・時間的な状況に応じて、基地局が間欠送信モードと通常送信モードの何れを行うかを柔軟に決定できる。このため、本実施形態によって、より柔軟な干渉低減の仕組みが提供される。
【００９９】
（第５の例示的な実施形態）
第５の例示的な実施形態は、上述の例示的な実施形態の具体例の一つを示す。
図１４は、第５の例示的な実施形態に係る複数の基地局を示す。
本実施形態の通信システムは、少なくとも基地局５１０と基地局５２０を含む。
基地局５１０は、ネットワークインタフェース５１１、プロセッサ５１２、送信機５１３を含む。基地局５２０は、ネットワークインタフェース５２１、プロセッサ５２２、送信機５２３を含む。
【０１００】
ネットワークインタフェース５２１は、ネットワークインタフェース５１１に対して、通知情報を送信する。通知情報は、例えば、基地局５２０が間欠送信モードであることを示す情報を含む。例えば、基地局５２０が送信するＯＦＤＭ信号を構成するＯＦＤＭシンボルに隣接する他のＯＦＤＭシンボルをブランクにする事が行われていることを示す情報を、通知情報は含んでもよい。
【０１０１】
図１５は、第５の例示的な実施形態に係る動作フローチャートを示す。
【０１０２】
Ｓ５１において、基地局５１０のネットワークインタフェース５１１は、基地局５２０から通知情報を受信する。
【０１０３】
Ｓ５２において、基地局５１０のプロセッサ５１２では、基地局５１０が間欠送信モードであるか否かが決定される。Ｓ５２でＹＥＳの場合、すなわち、基地局５１０が間欠送信モードである場合、基地局５１０はＳ５３の処理を実行する。
【０１０４】
Ｓ５３において、基地局５２０がユニキャスト送信中であることを通知情報が示す場合（Ｓ５３においてＹＥＳ）、プロセッサ５１２は、Ｓ５４の処理を実行する。
【０１０５】
Ｓ５４において、基地局５１０は、間欠送信を行う隣接基地局（基地局５２０）と信号を多重するＯＦＤＭシンボルが重ならないように、間欠送信を実施する。
【０１０６】
Ｓ５３においてＮＯの場合、Ｓ５５の処理が実行される。
【０１０７】
Ｓ５５において、ＳＣ−ＰＴＭ(Single Cell point to Multi Point)を基地局５２０が実行中である場合（Ｓ５５においてＹＥＳ）、Ｓ５４の処理を実行する。なお、ＳＣ−ＰＴＭとは、１セル内で複数端末へ同報することを示す。
【０１０８】
Ｓ５５においてＮＯの場合、Ｓ５６の処理が実行される。
【０１０９】
Ｓ５６において、ＭＢＳＦＮ（MBMS Single Frequency Network）を基地局５２０が実行中である場合（Ｓ５６においてＹＥＳ）、Ｓ５７の処理を実行する。なお、MBSFNとは、複数の基地局（ｅＮＢ：Evolved Node B）が同一信号を一斉同期送信することを示す。
【０１１０】
Ｓ５７において、基地局５１０は、間欠送信を行う隣接基地局（基地局５２０）と同じ送信タイミングで、間欠送信を実施する。
【０１１１】
Ｓ５６においてＮＯの場合及びＳ５２においてＮＯの場合、図１５の動作フローが終了する。
【０１１２】
Ｓ５３及びＳ５４の動作において、間欠送信を行う隣接基地局と信号を多重するＯＦＤＭシンボルが重ならないように制御される。これによって、ユニキャスト送信時における、基地局５１０と基地局５２０との間の基地局間の干渉の発生を回避できる。
【０１１３】
また、Ｓ５５及びＳ５４の動作も同様に、例えば、間欠送信を行う隣接基地局と送信タイミングを１ＯＦＤＭシンボル分シフトすることによって、間欠送信を行う隣接基地局と信号を多重するＯＦＤＭシンボルが重ならないように制御される。これによって、ＳＣ−ＰＴＭ時における、基地局５１０と基地局５２０との間の基地局間の干渉の発生を回避できる。
【０１１４】
また、Ｓ５６及びＳ５７の動作によって、ＭＢＳＦＮ時における、基地局５１０と基地局５２０との送信タイミングを合わせることによって、ダイバーシティ利得を得ることができる。
【０１１５】
なお、上述した通知情報は、例えば、間欠送信モード状態を示す情報、ユニキャストまたはＳＣ−ＰＴＭまたはＭＢＳＦＮの状態を示す情報、同期要求または同期不要である事を示す情報、データを多重するタイミングに関する情報（絶対的な時間または相対的な時間）を含んでも良い。例えば、同期を要求することを示す情報は、送信タイミングをずらすためのシフト量（Ｎシンボル、Ｎはゼロ以上の整数）や、どのシンボルを送信のために使用すべきかを示す情報を含んでも良い。
【０１１６】
なお、基地局５１０と基地局５２０の間のＸ２インタフェースを介して、通知情報が送信されてもよい。
【０１１７】
（第６の例示的な実施形態）
図１６は、第６の例示的な実施形態に係る基地局を示す。
図１６において、基地局６００は、送信機６１０とプロセッサ６２０とを含む。送信機６１０及びプロセッサ６２０は、第１の例示的な実施形態の基地局１０と同様である。ただし、例えば、ＩＦＦＴ部１２２に異なる割当情報（第２の割当情報）が供給される。
【０１１８】
ＩＦＦＴ部１２２は、第２の割当情報に基づいて、変調部１２１から入力される移動局あての変調シンボルをＩＦＦＴ入力ポイントにマッピング（サブキャリアマッピング）する。
【０１１９】
本実施形態によれば、所定の値より低い周波数の少なくとも一つのサブキャリアまたは複数のサブキャリアからなるリソースブロックに変調シンボルがマッピングされない（マップされない）ようにすることが、第２の割当情報に示されている（スケジューリング情報ともいう）。
【０１２０】
なお、他の例示的な実施形態と同様に、ＯＦＤＭシンボル単位でのブランキングが行われてもよい。この場合、プロセッサ６２０は間欠送信情報を生成し、送信機６１０がこの情報を送信する。
【０１２１】
図１７は、第６の例示的な実施形態に係る移動局に到達する合成波を示している。
【０１２２】
直接波６０１は、有効シンボル、及び、有効シンボルの前に配置され当該有効シンボルの後半部分をコピーして付加したガードインターバル区間から構成される。遅延波６０２は、直接波６０１の遅延波である。受信波６０３は、直接波６０１と遅延波６０２とを合成した合成波であり、移動局に到達する受信波である。
【０１２３】
直接波６０１において、記号Ｆ１、Ｆ２、Ｆ３、Ｆ４、Ｆ５は、それぞれサブキャリアを例示するものである。Ｆ１の周波数が低く、Ｆ５の周波数が高い。
【０１２４】
遅延波６０２において、記号ｆ１、ｆ２、ｆ３、ｆ４、ｆ５は、それぞれサブキャリアを例示するものである。ｆ１の周波数が低く、ｆ５の周波数が高い。
【０１２５】
受信波６０３において、例えば、Ｆ１＋ｆ１は、Ｆ１とｆ１が合成されたサブキャリアを示す（Ｆ２＋ｆ２、Ｆ３＋ｆ３、Ｆ４＋ｆ４、Ｆ５＋ｆ５も同様である）。
【０１２６】
記号９１０は、直接波６０１に対する遅延波６０２の回転フェーザを示す。回転フェーザには、ｆ１〜ｆ５の遅延波６０２のサブキャリアのそれぞれの位相が示されている。
【０１２７】
例えば、直接波６０１のサブキャリアＦ１と遅延波６０２のサブキャリアｆ１とを合成する場合の回転フェーザが、記号９２０に示されている。この例では、Ｆ１＋ｆ１のサブキャリアは、Ｆ１に比べ位相が遅れ、振幅が大きくなる。
【０１２８】
また、直接波６０１のサブキャリアＦ４と遅延波６０２のサブキャリアｆ４とを合成する場合の回転フェーザが、記号９３０に示されている。この例では、Ｆ４＋ｆ４のサブキャリアは、Ｆ４に比べ逆位相となり、振幅が小さくなる。他のＦ２＋ｆ２、Ｆ３＋ｆ３、Ｆ５＋ｆ５も同様の方法で、位相及び振幅が決まる。なお、直接波と合成後の受信波とでは、各サブキャリアの位相と振幅が変わるが、周波数は変わらない。
【０１２９】
前のＯＦＤＭシンボルとの境界付近（６４０）には不連続区間が入る等の影響で干渉が生じる。このため、例えば、記号９４０付近に高調波成分が加わることで波形がひずみ正弦波を形成できなくなるサブキャリアが生じるおそれがある。例えば、有効シンボル（ＦＦＴ区間）において、１周期分の正弦波が形成できない場合、そのサブキャリアを復調することは困難となる（有効シンボル長を取り出すことができない）。
【０１３０】
例えば、Ｆ１＋ｆ１のサブキャリアは、記号９４０エリアの波形がひずみ１周期分の正弦波を形成できない。
【０１３１】
本実施形態では、このような干渉の影響を受けるサブキャリアをブランクにする制御が行われる。本例の場合、Ｆ１＋ｆ１のサブキャリアに対して変調シンボルがマッピングされないようにすることを示す第２の割当情報（スケジューリング情報）が、プロセッサ６２０のＩＦＦＴ部１２２にて考慮され、ＩＦＦＴ部１２２における処理が行われる。
【０１３２】
本実施形態によれば、低いサブキャリア周波数のサブキャリアをブランキングして高いサブキャリア周波数のサブキャリアのみを用いることで、干渉の影響が低減できる。例えば、パブリックセーフティ（Public Safety：PS）向けのＬＴＥであれば、セル内の移動局数が公衆無線通信よりも少ない可能性があり無線リソースに余裕がある可能性がある。この場合、例えばリソースブロック単位（１２サブキャリア単位）でブランキングにしてもよい。
【０１３３】
なお、低い周波数とは、有効シンボル長において、復調可能な１周期の正弦波が描ける周波数（サブキャリア）である。例えば、サブキャリアの１周期分の長さが有効シンボルの半分より大きいサブキャリアについて、ブランキングするように制御されてもよい。このブランキングは、例えば、１周期の正弦波を構成できなくなったサブキャリアに対して、送信データをマップしないことによって実現されてもよい。
【０１３４】
（第７の例示的な実施形態）
図１８は、第７の例示的な実施形態に係る基地局を示す。
図１８において、基地局７００は、プロセッサ７１０と、送信機７２０を含む。
【０１３５】
プロセッサ７１０は、送信データから第１の変調シンボルを生成する。プロセッサ７１０は、第１の変調シンボルに対して逆フーリエ変換を行うことによって、第１の変調シンボルを周波数領域の信号から時間領域の信号である第１の有効シンボルに変換する。プロセッサ７１０は、第１の有効シンボルに第１のガードインターバルを挿入する。プロセッサ７１０は、挿入された信号を第１のＯＦＤＭ（Orthogonal Frequency Division Multiplexing）シンボルとして出力する。これら動作を行うように、プロセッサ７１０は構成されている。
【０１３６】
また、送信機７２０は、第１のＯＦＤＭシンボルに基づき生成された第１のＯＦＤＭ信号を送信するように構成されている。
【０１３７】
プロセッサ７１０は、次の（ａ）及び（ｂ）の少なくとも一方をブランクにする。
（ａ）第１のＯＦＤＭシンボルに隣接する第２のＯＦＤＭシンボル
（ｂ）第１の有効シンボルを構成する複数のサブキャリアの少なくとも一つ
図１９は、第７の例示的な実施形態に係る移動局を示す。
図１９において、移動局８００は、受信機８１０とプロセッサ８２０を含む。
【０１３８】
受信機８１０は、第１のＯＦＤＭ（Orthogonal Frequency Division Multiplexing）シンボルに基づき生成された第１のＯＦＤＭ信号を受信するように構成されている。
【０１３９】
プロセッサ８２０は、第１のＯＦＤＭシンボルから第１のガードインターバルを除去することによって、第１の有効シンボルを生成する。プロセッサ８２０は、第１の有効シンボルに対してフーリエ変換を行うことによって、時間領域の信号である第１の有効シンボルを周波数領域の信号に変換する。プロセッサ８２０は、周波数領域の信号に基づき復調処理を行うことで、送信データを生成する。これら動作を行うように、プロセッサ８１０は構成されている。
【０１４０】
ここで、次の（ａ）及び（ｂ）の少なくとも一方がブランクである。
（ａ）第１のＯＦＤＭシンボルに隣接する第２のＯＦＤＭシンボル
（ｂ）第１の有効シンボルを構成する複数のサブキャリアの少なくとも一つ
本実施形態によれば、マルチパスの遅延によって生じる干渉を低減できる新たな仕組みを提供できる。
【０１４１】
（他の例示的な実施形態）
上記例示的な実施形態は、送信装置を基地局、受信装置を移動局とする、ダウンリンク通信について記述されている。例示的な実施形態は、これに限定されず、例えば、アップリンク通信にも適用できる。
【０１４２】
アップリンク通信には、ＳＣ−ＦＤＭＡ（Single Carrier Frequency Division Multiple Access）と呼ばれる無線アクセス方式が使用される。ＳＣ−ＦＤＭＡは、ダウンリンクのＯＦＤＭＡ（Orthogonal Frequency Division Multiple Access）同様に、変調方式にＯＦＤＭが用いられ、サブキャリアの１ＲＢは１８０kHzとなっている。このように同様の仕組みのため、上述の例示的な実施形態は、アップリンク通信に適用することができる。
【０１４３】
上記において、基地局及び移動局の各構成要素が行う処理は、目的に応じてそれぞれ作製された論理回路で行うようにしても良い。
【０１４４】
また、処理内容を手順として記述したコンピュータプログラム（以下、プログラムと称する）を、通信システムを構成する要素のそれぞれにて読取可能な記録媒体に記録し、この記録媒体に記録されたプログラムが無線通信システムの各構成要素それぞれに読み込まれ、実行されるものであっても良い。
【０１４５】
この記録媒体に記録されたプログラムは、通信システムの各構成要素それぞれに設けられたCentral Processing Unit （CPU）にて読み込まれ、CPUの制御によって、上述したものと同様の処理が行われる。ここで、CPUは、プログラムが記録された記録媒体から読み込まれたプログラムを実行するコンピュータとして動作するものである。
【０１４６】
上述の例において、プログラムは、様々なタイプの非一時的なコンピュータ可読媒体（non−transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ（Compact Disc）−ＲＯＭ（Read Only Memory）、ＣＤ−Ｒ、ＣＤ−Ｒ／Ｗ、Digital Versatile Disk （DVD）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１４７】
本発明は上述した実施の形態のみに限定されるものではなく、既に述べた本発明の要旨を逸脱しない範囲において種々の変更が可能であることは勿論である。本明細書で説明したそれぞれの実施形態による機能またはステップおよび／または動作は特定の順序で実行しなくてもよい。さらに、本発明の要素は、単数形で説明または請求されていることがあるが、単数形に限定することが明示的に述べられていない限り、複数形であってもよい。
【０１４８】
＜付記＞
前述の例示的な実施形態の一部または全部は、以下の各付記のようにも記載することができる。しかしながら、以下の各付記は、あくまでも、本発明の単なる例示に過ぎず、本発明は、かかる場合のみに限るものではない。
（付記１）
送信データから第１の変調シンボルを生成し、
前記第１の変調シンボルに対して逆フーリエ変換を行うことによって、前記第１の変調シンボルを周波数領域の信号から時間領域の信号である第１の有効シンボルに変換し、
前記第１の有効シンボルに第１のガードインターバルを挿入し、
挿入された信号を第１のＯＦＤＭ（Orthogonal Frequency Division Multiplexing）シンボルとして出力するように構成されたプロセッサと、
前記第１のＯＦＤＭシンボルに基づき生成された第１のＯＦＤＭ信号を送信するように構成された送信機とを有し、
前記プロセッサは、
前記第１のＯＦＤＭシンボルに隣接する第２のＯＦＤＭシンボル、又は、
前記第１の有効シンボルを構成する複数のサブキャリアの少なくとも一つ、
の少なくとも一方をブランクにする、
基地局。
（付記２）
前記第２のＯＦＤＭシンボルをブランクにすることは、
前記第２のＯＦＤＭシンボルを構成する複数のサブキャリアの少なくとも一つに対して、送信データをマップしないこと、
を含む、
付記１記載の基地局。
（付記３）
前記第２のＯＦＤＭシンボルをブランクにすることは、
前記第２のＯＦＤＭシンボルを、前記第１のＯＦＤＭシンボルと同一に構成すること、
を含む、
付記１記載の基地局。
（付記４）
制御情報を記憶するメモリを有し、
前記プロセッサは、
前記ブランクにするか否かを、前記制御情報に基づいて、決定する、
付記３記載の基地局。
（付記５）
前記制御情報が、
マルチパス環境において前記第１のＯＦＤＭ信号が送信されたメインパスに対する遅延パスの遅延時間が、前記第１のガードインターバルを超えることを示すときに、
前記プロセッサは、
前記ブランクにすることを決定する、
付記４記載の基地局。
（付記６）
第２の基地局から、通知情報を受信するインタフェースを更に有し、
前記通知情報は、
前記第２の基地局が送信する第３のＯＦＤＭ信号を構成する第３のＯＦＤＭシンボルに隣接する第４のＯＦＤＭシンボルをブランクにする事が行われていることを示す、
付記１乃至５の何れか一項に記載の基地局。
（付記７）
前記第１の有効シンボルを構成する複数のサブキャリアの少なくとも一つをブランクにすることは、
１周期の正弦波を構成できなくなったサブキャリアに対して、送信データをマップしないこと、
を含む、
付記１乃至６の何れか一項に記載の基地局。
（付記８）
第１のＯＦＤＭ（Orthogonal Frequency Division Multiplexing）シンボルに基づき生成された第１のＯＦＤＭ信号を受信するように構成された受信機と、
前記第１のＯＦＤＭシンボルから第１のガードインターバルを除去することによって、第１の有効シンボルを生成し、
前記第１の有効シンボルに対してフーリエ変換を行うことによって、時間領域の信号である前記第１の有効シンボルを周波数領域の信号に変換し、
前記周波数領域の信号に基づき復調処理を行うことで、送信データを生成するように構成されたプロセッサとを有し、
前記第１のＯＦＤＭシンボルに隣接する第２のＯＦＤＭシンボル、又は、
前記第１の有効シンボルを構成する複数のサブキャリアの少なくとも一つ、
の少なくとも一方がブランクである、
移動局。
（付記９）
前記第２のＯＦＤＭシンボルがブランクであるとき、
前記第２のＯＦＤＭシンボルを構成する複数のサブキャリアの少なくとも一つに対して、送信データがマップされていない、
付記８記載の移動局。
（付記１０）
前記第２のＯＦＤＭシンボルがブランクである場合、
前記第２のＯＦＤＭシンボルが、前記第１のＯＦＤＭシンボルと同一に構成される、
付記８記載の移動局。
（付記１１）
マルチパス環境において前記第１のＯＦＤＭ信号が送信されたメインパスに対する遅延パスの遅延時間が、前記第１のガードインターバルを超えるときに、
前記第１のＯＦＤＭシンボルに隣接する前記第２のＯＦＤＭシンボルが、ブランクである、
付記８記載の移動局。
（付記１２）
送信データから第１の変調シンボルを生成し、
前記第１の変調シンボルに対して逆フーリエ変換を行うことによって、前記第１の変調シンボルを周波数領域の信号から時間領域の信号である第１の有効シンボルに変換し、
前記第１の有効シンボルに第１のガードインターバルを挿入し、
挿入された信号を第１のＯＦＤＭ（Orthogonal Frequency Division Multiplexing）シンボルとして出力し、
前記第１のＯＦＤＭシンボルに基づき生成された第１のＯＦＤＭ信号を送信し、
前記第１のＯＦＤＭシンボルに隣接する第２のＯＦＤＭシンボル、又は、
前記第１の有効シンボルを構成する複数のサブキャリアの少なくとも一つ、
の少なくとも一方をブランクにする、
基地局の制御方法。
（付記１３）
前記第２のＯＦＤＭシンボルをブランクにすることは、
前記第２のＯＦＤＭシンボルを構成する複数のサブキャリアの少なくとも一つに対して、送信データをマップしないこと、
を含む、
付記１２記載の基地局の制御方法。
（付記１４）
前記第２のＯＦＤＭシンボルをブランクにすることは、
前記第２のＯＦＤＭシンボルを、前記第１のＯＦＤＭシンボルと同一に構成すること、
を含む、
付記１２記載の基地局の制御方法。
（付記１５）
制御情報を記憶し、
前記ブランクにするか否かを、前記制御情報に基づいて、決定する、
付記１４記載の基地局の制御方法。
（付記１６）
前記制御情報が、
マルチパス環境において前記第１のＯＦＤＭ信号が送信されたメインパスに対する遅延パスの遅延時間が、前記第１のガードインターバルを超えることを示すときに、
前記ブランクにすることを決定する、
付記１５記載の基地局の制御方法。
（付記１７）
第２の基地局から、通知情報を受信し、
前記通知情報は、
前記第２の基地局が送信する第３のＯＦＤＭ信号を構成する第３のＯＦＤＭシンボルに隣接する第４のＯＦＤＭシンボルをブランクにする事が行われていることを示す、
付記１２乃至１６の何れか一項に記載の基地局の制御方法。
（付記１８）
前記第１の有効シンボルを構成する複数のサブキャリアの少なくとも一つをブランクにすることは、
１周期の正弦波を構成できなくなったサブキャリアに対して、送信データをマップしないこと、
を含む、
付記１２乃至１７の何れか一項に記載の基地局の制御方法。
（付記１９）
第１のＯＦＤＭ（Orthogonal Frequency Division Multiplexing）シンボルに基づき生成された第１のＯＦＤＭ信号を受信し、
前記第１のＯＦＤＭシンボルから第１のガードインターバルを除去することによって、第１の有効シンボルを生成し、
前記第１の有効シンボルに対してフーリエ変換を行うことによって、時間領域の信号である前記第１の有効シンボルを周波数領域の信号に変換し、
前記周波数領域の信号に基づき復調処理を行うことで、送信データを生成し、
前記第１のＯＦＤＭシンボルに隣接する第２のＯＦＤＭシンボル、又は、
前記第１の有効シンボルを構成する複数のサブキャリアの少なくとも一つ、
の少なくとも一方がブランクである、
移動局の制御方法。
（付記２０）
前記第２のＯＦＤＭシンボルがブランクであるとき、
前記第２のＯＦＤＭシンボルを構成する複数のサブキャリアの少なくとも一つに対して、送信データがマップされていない、
付記１９記載の移動局の制御方法。
（付記２１）
前記第２のＯＦＤＭシンボルがブランクである場合、
前記第２のＯＦＤＭシンボルが、前記第１のＯＦＤＭシンボルと同一に構成される、
付記１９記載の移動局の制御方法。
（付記２２）
マルチパス環境において前記第１のＯＦＤＭ信号が送信されたメインパスに対する遅延パスの遅延時間が、前記第１のガードインターバルを超えるときに、
前記第１のＯＦＤＭシンボルに隣接する前記第２のＯＦＤＭシンボルが、ブランクである、
付記１９記載の移動局の制御方法。
（付記２３）
コンピュータに、
送信データから第１の変調シンボルを生成し、
前記第１の変調シンボルに対して逆フーリエ変換を行うことによって、前記第１の変調シンボルを周波数領域の信号から時間領域の信号である第１の有効シンボルに変換し、
前記第１の有効シンボルに第１のガードインターバルを挿入し、
挿入された信号を第１のＯＦＤＭ（Orthogonal Frequency Division Multiplexing）シンボルとして出力し、
前記第１のＯＦＤＭシンボルに基づき生成された第１のＯＦＤＭ信号を送信し、
前記第１のＯＦＤＭシンボルに隣接する第２のＯＦＤＭシンボル、又は、
前記第１の有効シンボルを構成する複数のサブキャリアの少なくとも一つ、
の少なくとも一方をブランクにする、
ことを実行させるためのプログラムを記録したコンピュータ読み取り可能な記録媒体。
（付記２４）
前記第２のＯＦＤＭシンボルをブランクにすることは、
前記第２のＯＦＤＭシンボルを構成する複数のサブキャリアの少なくとも一つに対して、送信データをマップしないこと、
を含む、
付記２３記載のプログラムを記録したコンピュータ読み取り可能な記録媒体。
（付記２５）
前記第２のＯＦＤＭシンボルをブランクにすることは、
前記第２のＯＦＤＭシンボルを、前記第１のＯＦＤＭシンボルと同一に構成すること、
を含む、
付記２３記載のプログラムを記録したコンピュータ読み取り可能な記録媒体。
（付記２６）
制御情報を記憶し、
前記ブランクにするか否かを、前記制御情報に基づいて、決定する、
付記２５記載のプログラムを記録したコンピュータ読み取り可能な記録媒体。
（付記２７）
前記制御情報が、
マルチパス環境において前記第１のＯＦＤＭ信号が送信されたメインパスに対する遅延パスの遅延時間が、前記第１のガードインターバルを超えることを示すときに、
前記ブランクにすることを決定する、
付記２６記載のプログラムを記録したコンピュータ読み取り可能な記録媒体。
（付記２８）
第２の基地局から、通知情報を受信し、
前記通知情報は、
前記第２の基地局が送信する第３のＯＦＤＭ信号を構成する第３のＯＦＤＭシンボルに隣接する第４のＯＦＤＭシンボルをブランクにする事が行われていることを示す、
付記２３乃至２７の何れか一項に記載のプログラムを記録したコンピュータ読み取り可能な記録媒体。
（付記２９）
前記第１の有効シンボルを構成する複数のサブキャリアの少なくとも一つをブランクにすることは、
１周期の正弦波を構成できなくなったサブキャリアに対して、送信データをマップしないこと、
を含む、
付記２３乃至２８の何れか一項に記載のプログラムを記録したコンピュータ読み取り可能な記録媒体。
（付記３０）
通信システムであって、
基地局と
移動局を有し、
前記基地局は、
送信データから第１の変調シンボルを生成し、
前記第１の変調シンボルに対して逆フーリエ変換を行うことによって、前記第１の変調シンボルを周波数領域の信号から時間領域の信号である第１の有効シンボルに変換し、
前記第１の有効シンボルに第１のガードインターバルを挿入し、
挿入された信号を第１のＯＦＤＭ（Orthogonal Frequency Division Multiplexing）シンボルとして出力し、
前記第１のＯＦＤＭシンボルに基づき生成された第１のＯＦＤＭ信号を送信し、
前記第１のＯＦＤＭシンボルに隣接する第２のＯＦＤＭシンボル、又は、
前記第１の有効シンボルを構成する複数のサブキャリアの少なくとも一つ、
の少なくとも一方をブランクにする、
前記移動局は、
前記第１のＯＦＤＭ信号を受信し、
前記第１のＯＦＤＭ信号に含まれる前記第１のＯＦＤＭシンボルから前記第１のガードインターバルを除去することによって、前記第１の有効シンボルを生成し、
前記第１の有効シンボルに対してフーリエ変換を行うことによって、時間領域の信号である前記第１の有効シンボルを周波数領域の信号に変換し、
前記周波数領域の信号に基づき復調処理を行うことで、送信データを生成する、
通信システム。
（付記３１）
前記第２のＯＦＤＭシンボルをブランクにすることは、
前記第２のＯＦＤＭシンボルを構成する複数のサブキャリアの少なくとも一つに対して、送信データをマップしないこと、
を含む、
付記３０記載の通信システム。
（付記３２）
前記第２のＯＦＤＭシンボルをブランクにすることは、
前記第２のＯＦＤＭシンボルを、前記第１のＯＦＤＭシンボルと同一に構成すること、
を含む、
付記３０記載の通信システム。
（付記３３）
前記基地局が
制御情報を記憶し、
前記ブランクにするか否かを、前記制御情報に基づいて、決定する、
付記３２記載の通信システム。
（付記３４）
前記制御情報が、
マルチパス環境において前記第１のＯＦＤＭ信号が送信されたメインパスに対する遅延パスの遅延時間が、前記第１のガードインターバルを超えることを示すときに、
前記基地局が、前記ブランクにすることを決定する、
付記３３記載の通信システム。
（付記３５）
第２の基地局から前記基地局に対して、通知情報が送信され、
前記通知情報は、
前記第２の基地局が送信する第３のＯＦＤＭ信号を構成する第３のＯＦＤＭシンボルに隣接する第４のＯＦＤＭシンボルをブランクにする事が行われていることを示す、
付記３０乃至３４の何れか一項に記載の通信システム。
（付記３６）
前記第１の有効シンボルを構成する複数のサブキャリアの少なくとも一つをブランクにすることは、
１周期の正弦波を構成できなくなったサブキャリアに対して、送信データをマップしないこと、
を含む、
付記３０乃至３５の何れか一項に記載の通信システム。
【０１４９】
以上、実施形態を参照して本願発明を説明したが、本願発明は上記実施形態に限定されるものではない。本願発明の構成や詳細には、本願発明のスコープ内で当業者が理解し得る様々な変更をすることができる。
【０１５０】
この出願は、２０１７年１月１９日に出願された日本出願特願２０１７−００７２０５を基礎とする優先権を主張し、その開示の全てをここに取り込む。
【符号の説明】
【０１５１】
ｐ１  メインパス
ｐ２、ｐ３、ｐ４  遅延パス（遅延波）
１０  基地局
１１  セル
１２  プロセッサ
１３  送信機
２０  移動局
２１  受信機
２２  プロセッサ
３０  反射物
４０  メインパス
４１  遅延パス
５０  サンプリング区間（ＦＦＴ区間）
５２  直前ＯＦＤＭシンボルの一部
１０１、１０４、１０７  ガードインターバル
１０２、１０８  第１の有効シンボル
１０３、１０６、１０９  ブランクシンボル
１０５  第２の有効シンボル
１１０  サンプリング区間（ＦＦＴ区間）
１２１  変調部
１２２  ＩＦＦＴ部
１２３  ＧＩ挿入部
２００  移動局
２０１  メインＯＦＤＭシンボル
２０２  遅延ＯＦＤＭシンボル
２０３  合成波
２０４  コピーされた合成波
２０５  コピーされたメインＯＦＤＭシンボル
２０６  コピーされた遅延ＯＦＤＭシンボル
２０８  遅延ＯＦＤＭシンボルに対応する区間
２１０  受信機
２２０  プロセッサ
２２１  ＧＩ除去部
２２２  ＦＦＴ部
２２３  復調部
２２４  受信値制御部
３０１、３０３  複製有効シンボル
３０２、３０４  サイクリックプレフィックス（ＣＰ）
３０５  メインパスのＮ＋１番目のシンボルに相当する区間
４００  基地局
４１０  メモリ
４２０  プロセッサ
４３０  送信機
５１０、５２０  基地局
５１１、５２１  ネットワークインタフェース
５１２、５２２  プロセッサ
５１３、５２３  送信機
６００  基地局
６１０  送信機
６２０  プロセッサ
７００  基地局
７１０  プロセッサ
７２０  送信機
８００  移動局
８１０  受信機
８２０  プロセッサ
９１０、９２０、９３０  回転フェーザ
９４０  前のＯＦＤＭシンボルとの境界付近
Ｆ１、Ｆ２、Ｆ３、Ｆ４、Ｆ５、ｆ１、ｆ２、ｆ３、ｆ４、ｆ５  サブキャリア
【図１】
2018135438.tif 000003
【図２】
2018135438.tif 000004
【図３】
2018135438.tif 000005
【図４】
2018135438.tif 000006
【図５】
2018135438.tif 000007
【図６】
2018135438.tif 000008
【図７】
2018135438.tif 000009
【図８】
2018135438.tif 000010
【図９】
2018135438.tif 000011
【図１０】
2018135438.tif 000012
【図１１】
2018135438.tif 000013
【図１２】
2018135438.tif 000014
【図１３】
2018135438.tif 000015
【図１４】
2018135438.tif 000016
【図１５】
2018135438.tif 000017
【図１６】
2018135438.tif 000018
【図１７】
2018135438.tif 000019
【図１８】
2018135438.tif 000020
【図１９】
2018135438.tif 000021
【手続補正書】
【提出日】令和1年7月2日(2019.7.2)
【手続補正２】
【補正対象書類名】特許請求の範囲
【補正対象項目名】全文
【補正方法】変更
【補正の内容】
【特許請求の範囲】
【請求項１】
送信データから第１の変調シンボルを生成し、
前記第１の変調シンボルに対して逆フーリエ変換を行うことによって、前記第１の変調シンボルを周波数領域の信号から時間領域の信号である第１の有効シンボルに変換し、
前記第１の有効シンボルに第１のガードインターバルを挿入し、
挿入された信号を第１のＯＦＤＭ（Orthogonal Frequency Division Multiplexing）シンボルとして出力するように構成されたプロセッサと、
前記第１のＯＦＤＭシンボルに基づき生成された第１のＯＦＤＭ信号を送信するように構成された送信機とを有し、
前記プロセッサは、
前記第１のＯＦＤＭシンボルに隣接する第２のＯＦＤＭシンボル、又は、
前記第１の有効シンボルを構成する複数のサブキャリアの少なくとも一つ、
の少なくとも一方をブランクにする、
基地局。
【請求項２】
前記第２のＯＦＤＭシンボルをブランクにすることは、
前記第２のＯＦＤＭシンボルを構成する複数のサブキャリアの少なくとも一つに対して、送信データをマップしないこと、
を含む、
請求項１記載の基地局。
【請求項３】
前記第２のＯＦＤＭシンボルをブランクにすることは、
前記第２のＯＦＤＭシンボルを、前記第１のＯＦＤＭシンボルと同一に構成すること、
を含む、
請求項１記載の基地局。
【請求項４】
制御情報を記憶するメモリを有し、
前記プロセッサは、
前記ブランクにするか否かを、前記制御情報に基づいて、決定する、
請求項３記載の基地局。
【請求項５】
前記制御情報が、
マルチパス環境において前記第１のＯＦＤＭ信号が送信されたメインパスに対する遅延パスの遅延時間が、前記第１のガードインターバルを超えることを示すときに、
前記プロセッサは、
前記ブランクにすることを決定する、
請求項４記載の基地局。
【請求項６】
第２の基地局から、通知情報を受信するインタフェースを更に有し、
前記通知情報は、
前記第２の基地局が送信する第３のＯＦＤＭ信号を構成する第３のＯＦＤＭシンボルに隣接する第４のＯＦＤＭシンボルをブランクにする事が行われていることを示す、
請求項１乃至５の何れか一項に記載の基地局。
【請求項７】
前記第１の有効シンボルを構成する複数のサブキャリアの少なくとも一つをブランクにすることは、
１周期の正弦波を構成できなくなったサブキャリアに対して、送信データをマップしないこと、
を含む、
請求項１乃至６の何れか一項に記載の基地局。
【請求項８】
第１のＯＦＤＭ（Orthogonal Frequency Division Multiplexing）シンボルに基づき生成された第１のＯＦＤＭ信号を受信するように構成された受信機と、
前記第１のＯＦＤＭシンボルから第１のガードインターバルを除去することによって、第１の有効シンボルを生成し、
前記第１の有効シンボルに対してフーリエ変換を行うことによって、時間領域の信号である前記第１の有効シンボルを周波数領域の信号に変換し、
前記周波数領域の信号に基づき復調処理を行うことで、送信データを生成するように構成されたプロセッサとを有し、
前記第１のＯＦＤＭシンボルに隣接する第２のＯＦＤＭシンボル、又は、
前記第１の有効シンボルを構成する複数のサブキャリアの少なくとも一つ、
の少なくとも一方がブランクである、
移動局。
【請求項９】
送信データから第１の変調シンボルを生成し、
前記第１の変調シンボルに対して逆フーリエ変換を行うことによって、前記第１の変調シンボルを周波数領域の信号から時間領域の信号である第１の有効シンボルに変換し、
前記第１の有効シンボルに第１のガードインターバルを挿入し、
挿入された信号を第１のＯＦＤＭ（Orthogonal Frequency Division Multiplexing）シンボルとして出力し、
前記第１のＯＦＤＭシンボルに基づき生成された第１のＯＦＤＭ信号を送信し、
前記第１のＯＦＤＭシンボルに隣接する第２のＯＦＤＭシンボル、又は、
前記第１の有効シンボルを構成する複数のサブキャリアの少なくとも一つ、
の少なくとも一方をブランクにする、
基地局の制御方法。
【請求項１０】
コンピュータに、
送信データから第１の変調シンボルを生成し、
前記第１の変調シンボルに対して逆フーリエ変換を行うことによって、前記第１の変調シンボルを周波数領域の信号から時間領域の信号である第１の有効シンボルに変換し、
前記第１の有効シンボルに第１のガードインターバルを挿入し、
挿入された信号を第１のＯＦＤＭ（Orthogonal Frequency Division Multiplexing）シンボルとして出力し、
前記第１のＯＦＤＭシンボルに基づき生成された第１のＯＦＤＭ信号を送信し、
前記第１のＯＦＤＭシンボルに隣接する第２のＯＦＤＭシンボル、又は、
前記第１の有効シンボルを構成する複数のサブキャリアの少なくとも一つ、
の少なくとも一方をブランクにする、
ことを実行させるためのプログラム。
【手続補正３】
【補正対象書類名】明細書
【補正対象項目名】００７８
【補正方法】変更
【補正の内容】
【００７８】
受信装置（移動局）は、例えば、メインパスのＮ＋１番目のシンボルに相当する区間３０５を用いて、復調処理を行う。復調に用いられる区間は区間３０５に限られない。例えば、遅延パスのＧＩ１０７の先頭から区間３０５の終りまでの間におけるＦＦＴ区間分のシンボルを用いて、受信（復調）処理が行われてもよい。
【手続補正４】
【補正対象書類名】明細書
【補正対象項目名】００９７
【補正方法】変更
【補正の内容】
【００９７】
メモリ４１０は、設置後の基地局がカバーするカバレッジにおいて遅延が大きいか否かを予め調査し、その結果を、制御情報として記憶することができる。もし遅延が大きいエリアの場合、プロセッサ４２０は間欠送信モードを行うことを決定する。
【国際調査報告】
2018135438.tif 000022
2018135438.tif 000023